(57)【特許請求の範囲】
【請求項１】
−少なくとも内壁（６２）を含む第一ハウジング部（６）、
−少なくとも内壁（９２）を含む第二ハウジング部（９）、
−前記第一および第二ハウジング部（６，９）の内壁（６２，９２）が相互に対して対向する第一使用位置のために閉鎖位置へ前記第一および第二ハウジング部（６，９）を相互に対して折り畳み、かつ前記第一および第二ハウジング部（６，９）の内壁（６２，９２）が相互に対して隣接する第二使用位置のために開放位置で前記ハウジング部（６，９）間に維持されるヒンジ機構（３６）を少なくとも含む開放使用位置および閉鎖使用位置を有する折り畳み可能携帯電子装置（１）において、
前記装置（１）は、
−前記装置（１）が掌またはベース上のときに、前記第一および第二ハウジング部（６，９）の内壁（６２，９２）の少なくとも１つに取り付けられ、開放使用位置において使用者側へ向けられかつ使用者に情報を表示できる電子ディスプレイ（８，８１，８２）、ならびに
使用者の掌に対して横切る方向に設置できる第一壁（２３）、その反対側の第二壁（２９）、前記第一壁と前記第二壁との間の２つの隣接壁（２１，２２）、および上壁（２４）を含む複数の異なる使用位置に前記装置（１）を保持できる第三ハウジング部（２）を有し、
−前記ヒンジ機構（３６）は前記第三ハウジング部（２）の第二壁（２９）側に取り付けられかつ前記第三ハウジング部（２）に対して前記第一および第二ハウジング部（６，９）を折り畳むことができるように構成され、
−前記第三ハウジング部（２）の隣接壁（２１，２２）の各々は前記装置（１）の電子機能を制御するために指の届く範囲で少なくとも１つのキーボタン（４，５）を有し、
−前記第三ハウジング部（２）の第一壁（２３）、上壁（２４）、または前記第一壁と前記上壁との間の縁部は反対方向へ回転自在のプッシュボタン機能を備えた少なくとも２つのナビゲーションキー（３）を人指し指の届く範囲に有することを特徴とする折り畳み可能携帯電子装置。
【請求項２】
前記第一および第二ハウジング部（６，９）は反対方向へ開放する前に前記第三ハウジング部（２）から離れる方向へ移動でき、かつ前記第一および第二ハウジング部（６，９）は閉鎖後に相互に対して前記第三ハウジング部（２）９内へ一部が挿入されて前記装置（１）の外形が縮小するように構成されていることを特徴とする、請求項１の折り畳み可能携帯電子装置。
【請求項３】
前記上壁（２４）は前記第一および第二ハウジング部（６，９）を前記ヒンジ機構（３６）により自動的に開放するために人指し指の届く範囲にキーボタン（15)を有することを特徴とする、請求項1または2の折り畳み可能携帯電子装置。
【請求項４】
前記隣接壁(21,22)の少なくとも1つの上に設置されて前記装置(1)の閉鎖位置において使用者に情報を提供することのできる電子ディスプレイ手段(11)を含むことを特徴とする、請求項1から3のいずれか１の折り畳み可能携帯電子装置。
【請求項５】
前記電子ディスプレイ(8)は前記第一ハウジング部(６)の内壁（６２）上に部分的ディスプレイ(81)、および前記第二ハウジング部(９)の内壁(92)上に部分的ディスプレイ(82)を有し、前記部分的ディスプレイ(81,82)は前記装置(1)の垂直および水平位置において相互に対して少なくとも2つの横切る方向の配向で情報を提供できるように構成されていることを特徴とする、請求項1から4のいずれか１の折り畳み可能携帯電子装置。
【請求項６】
前記開放位置において、前記第三ハウジング部(2)は前記第一および第二ハウジング部（６，９）の内壁(62,92)に対して前記装置の反対側にありかつ前記内壁（６２，９２）に対して垂直方向に延在することを特徴とする、請求項1から5のいずれか１の折り畳み可能携帯電子装置。
【請求項７】
前記開放位置において、前記第一および第二ハウジング部（６，９）の内壁(62,92)は相互に対して平行かつ隣接して均等内壁を形成することを特徴とする、請求項1から6のいずれか１の折り畳み可能携帯電子装置。
【請求項８】
前記第一、第二および第三ハウジング部(２,６，９）のいずれか１つはスチールかつ／または画像のために電子画像センサ手段を有し、前記キーボタン（４，５）およびナビゲーションキー（３）は前記電子画像センサ手段を制御できるように構成されていることを特徴とする、請求項1から７のいずれか１の折り畳み可能携帯電子装置。
【請求項９】
前記電子画像センサ手段は前記第一および第二ハウジング部（６，９）間で前記第三ハウジング部（２）から延在する回転自在のカメラアーム（１８）を含み、前記第一および第二ハウジング部（６，９）は前記カメラアーム（１８）を保護するための空間（３４，３５）および透明ハウジング部（３２，３３）を有することを特徴とする、請求項1から８のいずれか１の折り畳み可能携帯電子装置。
【請求項１０】
前記ヒンジ機構（３６）は前記第一および第二ハウジング部（６，９）を相互に対しかつ第三ハウジング部（２）に対して折り畳むことのできる構成のヒンジ装置（３９）、前記第一および第二ハウジング部（６，９）の全体および前記ヒンジ装置（３９）を部分的に前記第三ハウジング部（２）から射出させることのできるエジェクタ機構（３７）、および前記第一および第二ハウジング部（６，９）の開放を可能にすることのできる展開機構（３８）を有することを特徴とする、請求項1から９のいずれか１の折り畳み可能携帯電子装置。
【請求項１１】
前記ナビゲーションキー（３）は回転自在ロールまたは揺動キーであることを特徴とする、請求項1から１０のいずれか１の折り畳み可能携帯電子装置。
【請求項１２】
前記装置（１）の閉鎖位置において利用できるＣＭＴ使用者インターフエイス、および前記装置（１）の開放位置において利用できるＰＤＡ使用者インターフエイスを少なくとも含む通信装置であることを特徴とする、請求項1から１１のいずれか１の折り畳み可能携帯電子装置。
【請求項１３】
−相互に対して折り畳むことのできる少なくとも２つの前記第一および第二ハウジング部（６，９）、ならびに前記第一および第二ハウジング部（６，９）を相互に対して連結しかつ折り畳ませることのできるヒンジ機構（３６）を含み、かつ２つまたはそれ以上の位置を有する折り畳み可能携帯電子装置（１）用ハンドル装置において、
前記ハンドル装置は、複数の異なる使用位置に前記電子装置（１）を保持できるハンドル形第三ハウジング部（２）から成り、かつ
−使用者の掌に対して横切る方向に設置できる第一壁（２３）、
−前記第一壁（２３）と反対側の第二壁（２９）、
−前記第一壁と前記第二壁との間の２つの隣接壁（２１，２２）、ならびに
−上壁（２４）を少なくとも含み、
−前記ヒンジ機構（３６）、および前記第一または第二ハウジング部（６，９）のいずれか一方が前記第二壁（２９）側に連結され、かつ前記ヒンジ機構（３６）および前記第三ハウジング部（２）は前記第一または第二ハウジング部（６，９）の前記いずれか一方のハウジング部側に設置きるように構成され、
−前記隣接壁（２１，２２）の各々は前記電子装置（１）の電子機能を制御するための少なくとも１つのキーボタン（４，５）を指の届く範囲に有し、かつ
−前記第一壁（２３）、前記上壁（２４）、または前記第一壁（２３）と前記上壁（２４）との間の縁部（２５）は反対方向へ回転自在に設置された少なくとも２つのプッシュボタン機能を備えたナビゲーションキー（３）を人指し指の届く範囲に有することを特徴とする折り畳み可能携帯電子装置用ハンドル装置。
【請求項１４】
前記電子装置（１）の外形を縮小するために、前記ヒンジ機構（３６）は少なくとも一部が前記第三ハウジング部（２）内へ移動自在に収容されるかまたは前記第一または第二ハウジング部（６，９）の前記少なくとも一方が少なくとも一部で前記第三ハウジング部（２）へ挿入できるように構成され、かつ前記第一または第二ハウジング部（６，９）の前記少なくとも一方と前記第三ハウジング部（２）との連結が少なくとも前記移動および挿入を可能にしかつ必要により前記移動および挿入前に相互に対する前記第一および第二ハウジング部（６，９）の折り畳みを可能することを特徴とする、請求項１３の折り畳み可能携帯電子装置用ハンドル装置。
【発明の詳細な説明】
【０００１】
【発明の属する技術分野】
本発明は請求項１の導入部に記載の、少なくとも内壁を含む第一ハウジング部、少なくとも内壁を含む第二ハウジング部、前記内壁が相互に対して対向する第一使用位置のために閉鎖位置に前記第一および第二ハウジング部を相互に対して折り畳むことができ、前記内壁が相互に対して隣接する第二使用位置のために開放位置で前記ハウジング部間に維持されるヒンジ機構を少なくとも含む開放使用位置および閉鎖使用位置を有する折り畳み可能携帯電子装置に関する。本発明は、更に、請求項１３の導入部に記載の、相互に対して折り畳むことのできる少なくとも２つの前記第一および第二ハウジング部、ならびに前記第一および第二ハウジング部を相互に対して連結し、その折り畳みを可能にするヒンジ機構を含みかつ２つまたはそれ以上の位置で電子装置を保持する折り畳み可能携帯電子装置用ハンドル装置に関する。
【０００２】
【従来の技術】
種々のデータを記憶するために、ノートパッドコンピュータ、小型ハンドヘルドコンピュータ、またはＰＤＡ装置（パーソナルデジタルアシスタント）等の既知電子装置が利用できる。かかるデータは装置のディスプレイにより視認できる。データはキーパッドまたはタッチスクリーンにより装置に入力される。同様に、移動電話等のワイヤレス通信装置は電話番号を記憶しまたは選択するためにキーパッドおよびディスプレイを有する。既知装置はＮｏｋｉａ（登録商標）８８５０、７１１０および６１１０移動電話を含む。２つの異なる使用者インターフェース、通常、移動電話およびＰＤＡ装置の使用者インターフェースを有する装置が使用可能である。かかる既知装置の１つはＮｏｋｉａ（登録商標）９１１０通信機であり、その第一使用者インターフェース（開放位置）はＰＤＡ使用者インターフェースであり、かつ第二使用者インターフェース（閉鎖位置）は移動電話機能としてのＣＭＴ使用者インターフェース（携帯移動電話）である。かかる装置は異なる使用者インターフェースのために分離キーパッドおよびディスプレイを有する。かかる装置は相互に対して蝶番止めされた２つのハウジング部を有する。その内側で、かかる装置のＰＤＡ使用者インターフェースは２つのハウジング部間に装置の閉鎖位置で保護される。ＣＭＴ使用者インターフェースは１つのハウジング部の外側にある。
【０００３】
２つの使用者インターフェースおよび２つの異なる使用位置を有するＰＤＡ／ＣＭＴ装置はＵＳ特許公報第６０14573号から既知である。閉鎖位置において、この装置は移動電話として使用され、かつ開放位置において分離キーパッドおよびディスプレイが使用できる。開放されたときには、また、例えばブラウザまたは装置内通信ソフトウエアによる通信ネットワークへのワイヤレス接続および情報検索を可能にする。２つまたはそれ以上の折り畳み可能ハウジング部を有するＰＤＡ／ＣＭＴ装置はＵＳ特許公報第６，０４７，１９６号から同様に既知である。ＣＭＴ使用者インターフェースは２つのハウジング部の外側に設置されている。この装置の一形態は２つの折り畳み可能ハウジング部に分割されるワイドディスプレイを有する。２つの折り畳み可能ハウジング部を有する対応するワイドディスプレイはＵＳ特許公報第５，７３４，５１３号から同様に既知である。２つのハウジング部が閉鎖されると、ディスプレイは両ハウジング部間で保護される。分離ディスプレイは相互に対して隣接設置されてより広い均等ディスプレイを形成する。
【０００４】
ＣＭＴ使用者インターフェースを有する装置のみが、ＥＰ出願公開番号第０９６３１００Ａ１号に開示されたようにカメラとしの補助機能を有する。かかるカメラにより形成される電子画像、例えば、スチール画像またはビデオ画像はその装置のディスプレイへ送られるか、または通信ネットワーク内の他の場所または他のＣＭＴ装置へワイヤレスにより伝送される。かかる装置の異なる位置でのカメラの使用を可能かつ単純にするためにＰＤＡ／ＣＭＴ装置においてカメラの配置により特定問題が生じる。
【０００５】
開閉できる既知ＰＤＡ／ＣＭＴ装置において、問題はキーまたは対応する制御ボタン、カーソルキー、回転ロールまたはボール、揺動ボタンまたはナビゲーションキーの最適使用法にある。特定問題は装置の異なる位置で使用される２つのインターフェースにあり、使用者の手の把持が同時に変更かつ／または解放できて快適使用を可能にしかつ装置の開放を均等にできることである。把持の開放および変更時に、両手がしばしば必要になる。把持の変更を可能にするキーは指の届く範囲に設置されなければならないが、同時にキーはしばしば例えばディスプレイ上等に空間を必要とする。各把持を容易にするために、装置は同一機能を有する幾つかの分離キーを有する。ブラウジング（閲覧）するときに、ワイドディスプレイが好適であり、かかるディスプレイは装置が小型化されるにつれて２つのハウジング部まで伸長する。装置の使用を快適にするために、キーの配置および保持位置は人間工学的でなければならない。サイズが次第に小さくなっているＰＤＡ／ＣＭＴ装置における一体化される他の補助機能および位置のために制御キーを設置することは問題である。
【０００６】
【発明が解決しようとする課題】
本発明の課題は従来技術を改良することにある。特に、本発明の課題は、少なくとも２つの使用者インターフェース、好適にはＰＤＡ／ＣＭＴ通信装置を有する改良された電子装置を提供することにある。本発明の課題は開放位置および閉鎖位置において片手の把持によりその取り扱いを可能にすることにより装置の使用を相当に促進することにある。特に、本発明の課題は装置の把持または配向を変更することなく装置のハウジング部を開放させることにある。特に、本発明の課題は、装置のＰＤＡ／ＣＭＴ機能が把持を変更することなくかつ好適には左右の両手により同様方法により使用できるように、キーまたは類似物を設置することにある。
【０００７】
【課題を解決するための手段】
本発明による装置は請求項１の特徴部に記載の特徴を有する。本発明によるハンドル装置は請求項１３の特徴部に記載の要件により特徴づけられる。
【０００８】
即ち、本発明による折り畳み可能携帯電子装置は、少なくとも内壁を含む第一ハウジング部、少なくとも内壁を含む第二ハウジング部、前記第一および第二ハウジング部の前記各内壁が相互に対して対向する第一使用位置のために閉鎖位置へ前記第一および第二ハウジング部を相互に対して折り畳ませかつ前記第一および第二ハウジング部の前記各内壁を相互に対して隣接する第二使用位置のために開放位置で前記ハウジング部間に維持されるヒンジ機構を少なくとも含む、開放使用位置および閉鎖使用位置を有する折り畳み可能携帯電子装置に関する。
【０００９】
前記電子装置は、掌またはベース上のときに、前記第一および第二ハウジング部の前記各内壁の少なくとも１つに取り付けられ、開放使用位置において使用者側へ向けられかつ使用者に情報を表示できる電子ディスプレイ、ならびに使用者の掌に対して横切る方向に設置できる第一壁、その反対側の第二壁、前記第一壁と前記第二壁との間の２つの隣接壁および上壁を含む複数の異なる使用位置に前記電子装置を保持できる第三ハウジング部を有し、前記ヒンジ機構が前記第三ハウジング部の前記第二壁側に取り付けられかつ前記第三ハウジング部に対して前記第一および第二ハウジング部を折り畳むことができるように構成され、前記第三ハウジング部の前記隣接壁の各々が前記電子装置の電子機能を制御するための少なくとも１つのキーボタンを指の届く範囲に有し、前記第三ハウジング部の前記第一壁、前記上壁、または前記第一壁と前記上壁との間の縁部が反対方向へ回転自在の少なくとも２つのプッシュボタン機能を備えたナビゲーションキーを人指し指の届く範囲に有することを特徴とする。
【００１０】
好適形態において、前記第一および第二ハウジング部は反対方向へ開放する前に前記第三ハウジング部から離れる方向へ移動でき、かつ前記第一および第二ハウジング部は閉鎖後に相互に対して前記第三ハウジング部内へ一部が挿入されて前記電子装置の外面または外形を縮小するように構成されている。
【００１１】
好適形態において、前記第三ハウジング部の前記上壁は前記第一および第二ハウジング部を前記ヒンジ機構により自動的に開放するためのキーボタンを人指し指の届く範囲に有する。
【００１２】
好適形態において、前記電子装置は前記第三ハウジング部の前記隣接壁の少なくとも1つの上に設置されて前記電子装置の閉鎖位置において使用者に情報を提供することのできる電子ディスプレイ手段を含む。
【００１３】
好適形態において、前記電子ディスプレイは前記第一ハウジング部の内壁上に部分的ディスプレイ、および前記第二ハウジング部の内壁上に部分的ディスプレイを有し、前記２つの部分的ディスプレイは前記電子装置の垂直および水平位置において相互に対して少なくとも2つの横切る方向の配向で情報を提供できるように構成されている。
【００１４】
好適形態において、前記開放位置において、前記第三ハウジング部は前記第一および第二ハウジング部の内壁に対して反対側にあり、前記第一および第二ハウジング部の内壁に対して垂直方向に延在する。
【００１５】
好適形態において、前記開放位置において、前記第一および第二ハウジング部の内壁は相互に対して平行かつ隣接して均等内壁を形成している。
【００１６】
好適形態において、前記第一、第二および第三ハウジング部のいずれか１つはスチールかつ／または画像のために電子画像センサ手段を有し、前記キーボタンおよびナビゲーションキーは前記電子画像センサ手段を制御できるように構成されている。
【００１７】
好適形態において、前記電子画像センサ手段は前記第一および第二ハウジング部間で前記第三ハウジング部から延在する回転自在のカメラアームを含み、前記第一および第二ハウジング部は前記カメラアームを保護するための空間および透明ハウジング部を有する。
【００１８】
好適形態において、前記ヒンジ機構は前記第一および第二ハウジング部を相互に対しかつ前記第三ハウジング部に対して折り畳むことのできる構成のヒンジ装置、前記第一および第二ハウジング部の全体および前記ヒンジ装置を部分的に前記第三ハウジング部から射出させることのできるエジェクタ機構、および前記第一および第二ハウジング部の開放を可能にすることのできる展開機構を有する。
【００１９】
好適形態において、前記ナビゲーションキーは回転自在ロールまたは揺動キーである。
【００２０】
好適形態において、前記電子装置は、前記電子装置の閉鎖位置において利用できるＣＭＴ使用者インターフエイス、および前記電子装置の開放位置において利用できるＰＤＡ使用者インターフエイスを少なくとも含む通信装置である。
【００２１】
本発明は更に、２つまたはそれ以上の位置を有する折り畳み可能携帯電子装置用のハンドル装置を提供する。本発明による前記ハンドル装置は、相互に対して折り畳むことのできる少なくとも２つの前記第一および第二ハウジング部、ならびに前記第一および第二ハウジング部を相互に対して連結しかつ折り畳ませることのできるヒンジ機構を含む。前記ハンドル装置は複数の異なる使用位置に前記電子装置を保持できるハンドル形第三ハウジング部から成り、かつ使用者の掌に対して横切る方向に設置できる第一壁、前記第一壁と反対側の第二壁、前記第一壁と前記第二壁との間の２つの隣接壁、ならびに上壁を更に含み、前記ヒンジ機構、および前記第一および第二ハウジング部のいずれか一方が前記第二壁側に連結され、かつ前記ヒンジ機構および前記第三ハウジング部は前記第一および第二ハウジング部の前記いずれか一方のハウジング部の側に設置きるように構成され、前記隣接壁の各々は前記電子装置の電子機能を制御するための少なくとも１つのキーボタンを指の届く範囲で有し、かつ前記第一壁、前記上壁、または前記第一壁と前記上壁との間の縁部は反対方向へ回転自在に設置された少なくとも２つのプッシュボタン機能を備えたナビゲーションキーを人指し指の届く範囲に有することを特徴とする。
【００２２】
前記ハンドル装置において、前記電子装置の外面を縮小するために、前記ヒンジ機構は少なくとも一部が前記第三ハウジング部内へ移動自在に収容されるかまたは前記第一および第二ハウジング部の前記少なくとも一方が少なくとも一部で前記第三ハウジング部へ挿入するように構成され、かつ前記第一および第二ハウジング部の前記少なくとも一方と前記第三ハウジング部との連結が少なくとも前記挿入を可能にしかつ必要により前記挿入前に相互に対する前記第一および第二ハウジング部の折り畳みを可能する構成であることが望ましい。
【００２３】
上述のごとく、本発明はキーおよび制御ボタン等を設置する折り畳み可能ハウジング部に付加されるハンドル形ハウジング部に基礎をおく。同様に、本発明は他のハウジング部をハンドル部に対して折り畳む方法に基礎を置く。前記ハンドル部は人間工学的把持を可能にするように設計されてよい。前記制御ボタンがハンドル部の異なる側に設置され、かつ好適にはプッシュボタン機能を備えたナビゲーションキーが装置の上コーナに設置される場合、本装置は１つの把持により制御できる。本発明の装置は上面上のプッシュボタンにより開放してよい。同様に、同一キーがカメラ、ビデオ、および音楽機能等の補助機能を制御するために使用できる。
【００２４】
前記課題が電話中に使用者のビデオ画像を送信することにある場合に特に利点が得られる。この場合に、閉鎖装置は容易かつ迅速に開放してビデオ電話に応答する。装置内の画像センサにより、画像を電子フォーマット化することができる。この画像は前方へ電子送信できかつ／または装置のディスプレイ上に表示できる。手をハンドル部から解放する必要はなく、この場合、指をキー上に維持してその機能の迅速スタートおよび制御を固定できる。開放装置のディスプレイは、例えばビデオ電話時に受信画像を表示するために利用できる。
【００２５】
本発明によれば、前記ハンドル部の下部はクラッチとして設計されている。本装置は、例えば机上等のベース上に設置されたときに垂直に開放維持され、かつビデオ電話は把持を解除することにより継続でき、両手は他の使用目的のために解放される。同時に、ディスプレイおよびカメラは使用者の方向に向けられる。この位置において、ディスプレイは、例えば電子カレンダ等の他の目的のために、ウエブサイトまたはスクリーンセーバまたはフレームに類似の方法によりカメラにより撮影された電子スチール画像を提供する。ハンドル部は水平装置を傾斜位置で支持し、これはディスプレイの読みを容易にする。
【００２６】
本発明の好適形態によれば、カメラを移動させる機構は、本装置が開放されるときに画像センサの配向を自動的に変化させる。一例として、画像センサは、例えば使用者側で固定された検出器上に焦点を当てることにより、使用者に自動的に追従する。カメラの配向は、例えばハンドル部内の４方向ナビゲーションキーを使用することにより手動により、またはプログラムに従って変化してよい。ディスプレイ上の画像、テキストおよび他の情報の配向は、好適には、相互に対して９０°回転した少なくとも２つの位置で変化してよい。このうよにして、開放した装置は使用者の選択により垂直もしくは水平、または本装置に使用できる用途の観点またはディスプレイに表示される情報に照らして有利な配向で使用できる。
【００２７】
有利形態によれば、前記２つの異なるハウジング部に設置された前記電子ディスプレイは開放装置において相互に対して隣接設置され、可能な限りシームレスかつ均等のディスプレイ領域を形成する。このディスプレイ領域は僅かに折り曲げられるが、好適には実質的平面である。これは一時に１つのディスプレイよりも多いユニット表示を可能にする。本装置のステレオスピーカが前記ディスプレイ側、例えば前記ディスプレイの両側に、または隣接して設置される。
【００２８】
本装置のヒンジ機構は前記ハウジング部を相互に対して隣接設置し、かつ相互に対して設置された前記ハウジング部が移動し、それにより一部が前記ハンドル形ハウジング部へ移動するときに、本装置の全幅は小さくなる。前記ディスプレイは前記ハウジング部間で保護される。前記ヒンジ装置は前記ハウジング部の背後および前記ハンドル部の内側に隠れ、かつ自動的に開放しかつ好適には本装置を展開する機構を含む。前記ヒンジ装置により、前記ハウジング部の旋回点は前記内壁の縁部に適正に位置し、種々の一体的折り畳み可能ディスプレイの設置を促進する。
【００２９】
同様に、閉鎖位置においてＰＤＡ／ＣＭＴ装置は前記ハンドル部により保持され、かつ例えばディスプレイ上でスクロールしてリストから電話番号を選択するための、電子ディスプレイを有する。前記ハンドル部内の制御ボタン、ナビゲーションキー等を使用することにより電話番号を選択し、電話を掛け、かつ終了することができる。電話のイヤホーンは前記開放ハウジング部の上部に設置され、かつマイクロホンはその下部に設置される。
【００３０】
前記ＰＤＡ／ＣＭＴ装置は好適には実質的平行に設計された２つの側面を有するフラット側面である。フラット側面は１つのハウジング部の外面、および前記ヒンジシームにより分離される前記ハンドル部の側面により形成される。相互に対して設置される開放ハウジング部は前記ハンドル部に隣接して本装置の両側に位置する。本装置が閉鎖位置のときに、前記ハンドル部および前記ハウジング部は好適には相互に対して安定している。
【００３１】
本発明の有利形態において、前記ハンドル部の上部は電子カメラのビューファインダを具備する。閉鎖装置において、このカメラの画像センサは前記ビューファインダと同一方向に配向される。電子画像は前記ハンドル部の制御ボタンにより制御される。前記ハンドル部のディスプレイは前記カメラのディスプレイとして使用される。
【００３２】
本発明の一形態において、本装置に１またはそれ以上のイヤホーンおよびヘッドセットを含むワイヤレス操作のヘッドセット装置を接続できる。この装置は、例えば手で持つ必要のない装置として使用できる。本発明の他の有利形態によれば、ＰＤＡ／ＣＭＴ装置からワイヤレスによりデジタルフォーマットで送信される音楽を聞くために使用される。この音楽は本装置のメモリ手段に記憶されかつ／またはワイヤレス通信ネットワークを使用して本装置に送信される。その機能は前記ハンドル部の前記キーまたはボタンの使用により制御される。前記ヘッドセット装置は、同様に、例えばディスプレイおよびキーを含む、制御ユニットを具備してよい。本発明の有利形態によれば、本装置は前記ヘッドセット制御ユニットによりワイヤレス方式で制御される。
【００３３】
次に、本発明を好適形態による電子ＰＤＡ／ＣＭＴ通信装置を例にとり添付図面を参照して詳細に説明する。
【００３４】
【発明の実施の形態】
図１および２を参照すると、通信装置１（以下装置１と言う）は使用位置において実質的均等側面２１を有する水平ハンドル形ハウジング部２を含む。ハウジング部２は使用者の掌内に装置１を保持できる構成である。側面２１と実質的同一形状の側面２２がハウジング部２、即ちハンドル部２、および装置１の反対側に設けられている。図２は同様に装置１を保持するための使用者の把持を示す。図１および２おいて、装置１は閉鎖位置（ＣＭＴ使用位置）で示されているが、装置１は図４に示されたように、開放位置（ＰＤＡ使用位置）のときに対応する方法で保持される。右利きの使用者は親指と他の指を側面２２および２１のそれぞれの上に置く。左利きの使用者も同様である。人指し指はナビゲーションキー３を使用するときにハンドル部２の上に設置される。ハンドル部２は、同様に、側面２１および２２間に使用者の掌に設置される側面２３を含む。側面２３、即ち（もしくは）第一壁２３、は、装置１が使用位置で実質的垂直位置に保持されるときに、親指と他の指との間で掌を横切る。図２において、側面２３および装置１の長手方向は人指し指に実質的に平行に設置される。側面２３は、掌が使用者の顔の方向に向けられ、上方に傾斜するときに、掌により支持され、そこに当接する。装置１はこのように水平または僅かに傾く。複数の指が側面２１および２２を押すことによりハンドル部２を同時に支持するために使用され、装置１の揺れは使用時または開放時に効率的に防止される。
【００３５】
装置１の機能を制御するために、ハンドル部２は１セットのキー、制御ボタン、ナビゲーションキー等を指の及ぶ範囲に有する。装置１が図２に示されたように保持されるときに、人指し指はハンドル部２の上面２４およびナビゲーションキー３が設置される縁部２５まで延びる。装置１の設計により、ナビゲーションキー３は上面２４または側面２３上で全体的に均等に設置できるが、両手用として側面２１，２３間に対称的に設置されてよい。ただし、好適には、コーナ２５、即ち、縁部２５に設置される。制御キー４は親指の下に設置され、かつ側面２１上の対応する位置には、例えば人指し指が届く範囲で制御ボタン５が設けられる。制御キー４または制御ボタン５が押し下げられるときに、装置１は異なる側面から複数の指により支持され、かつ同時に掌の下部がハンドル部２を支持する。制御キー４および制御ボタン５はハンドル部２の上部２６に設置される。左手および右手使用のために、ナビゲーションキー３は側面２１および２２に対して対称的に設置される。制御キー４および制御ボタン５が異なる機能を有する場合には、それらの機能はプログラミングまたは装置の制御システムにより異なる手のために交換できる。
【００３６】
ハンドル部２の下部２７の下面２８は、開放した装置１がベースに対して支持されかつ図４に示されたように垂直位置に保持されるように設計される。下部２７がハウジング部６および９と実質的に同一レベル２で下方へ延在するときに、装置１は同様に折り畳んでないハウジング部６および９により支持される。装置１のディスプレイ８はこのようにし略１０−３０°後方に傾斜し、使用者がテーブルで腰掛けるときにディスプレイを容易に読むことができる。同時に、ビデオ電話時に使用されるカメラは使用者側に都合良く向けられる。装置１の重心は下面２８により提供される支点の前側に設置される。
【００３７】
図２を参照すると、装置１は装置１の側面と共に外面を構成する外壁６１を含む第一ハウジング部６を有する。装置１の外面の一部は同様に側面２２により形成されている。側面２２および外壁６１はヒンジで長手シーム７により２分割された実質的均等面を構成する。ハウジング部６は側面２３と反対のハンドル部２側にある。このハンドル部側は、平面電子ディスプレイ８が観察されるときに、図５に示されたように装置１の開放位置で使用者に対面する。この側には図４に示されたように側面８がある。この使用位置において、掌は観察者に対面し、かつハンドル部２はディスプレイ８により形成される平面に対して垂直（９０°角度差）になる方向で使用者から離れる方向に配向される。この形態において、装置１が図５に示されたように完全に開放するときに、ハウジング部６の内壁６２上に設置された電子ディスプレイ８１およびハウジング部９の内壁９２上に設置された電子ディスプレイ８２は実質的に平行になる。これらのディスプレイは可能な限り接近して設置され、均等平面ディスプレイ領域８を形成する。ディスプレイ８１，８２、およびハウジング部６，９は反対位置（図６に示されたＩ位置）へ移動し、この位置では角度差は０°であり、かつ隣接位置（図４に示されたＴ位置）へ移動し、この位置では角度差は１８０°となり、例えば、１６５°から１８０°に変化する。ハンドル部２はハウジング部６，９間のシームにヒンジで設置されている。反対位置において、ハウジング部６，９はハンドル部２と平行である（角度差０°）。
【００３８】
装置１は装置１の側面および外面を同時に構成する外壁９１を含む対応する第二ハウジング部９を有する。装置１の外面の一部は側面２１により形成されている。側面２１および外壁９１は実質的均等面を構成し、ヒンジで長手シーム１０により二分割されている。閉鎖位置において、内壁６２，９２は相互に対して接近対面するように設置され、ディスプレイ８１，９２は同時に一緒に折り畳まれる。ディスプレイ８１，８２および内壁６２および９２はハウジング部６，９間で保護される。ディスプレイ８１，８２はそれぞれ実質的に矩形であり、かつ相互に対して長手縁部を隣接設置することにより結合されるときに、折り畳み可能の略正方形ディスプレイ８を構成する。一実施形態において、少なくとも一方の前記ハウジング部の他方のハウジング部に対する角位置は、例えば０°から１５°の範囲の角度差に調整できる。このことは図５の位置での使用を容易にし、ディスプレイ８２はクエーティ（ＱＷＥＲＴＹ）キーボードを表し、かつディスプレイ８１は書き込まれたテキストを表示する。このように、少なくともディスプレイ８２はタッチスクリーンである。装置１はこの角位置へ容易に開放でき、この位置から装置１は図５に示された完全開放位置へ移動できる（０°の角度差）。ハウジング部２（６）および９の長手縁部はベースに対して支持され書き込みを容易にする。
【００３９】
図２に示されたように、ハンドル部２の上部２６は移動電話から得たデータおよび情報を表示するためのＣＭＴモードで使用される電子ディスプレイ１１を有する。これらデータおよび情報は、例えば、テキストメッセージ、電話セッティングのメニュー、受信電話番号、選択電話番号、または検索電話番号リスト等を含む。ＣＭＴモードのために、ハウジング部６の上部６３は、使用者の耳に設置されるイヤホーン用の１セットの開口部を有する。イヤホーンはハウジング６の内側に設置されかつ電子信号を聞き取り可能音へ変換できる構成である。ハウジング６の下部６４はハウジング６の内側に設置されかつ使用者の会話を電子信号へ変換できるように構成された電話マイクロホーン用の必要なセットの開口部１３を有する。イヤホーンおよびマイクロホーンは装置１とワイヤレス無線周波数（ＲＦ）または赤外線（ＩＲ）接続の分離補助装置内に設置され、マイクロホーンおよびイヤホーンは開放位置およびＰＤＡモードで簡単に使用できる。特に、Bluetooth(商標)ワイヤレス技術はそれ自体既知でありかつ短距離通信用に適し、本装置に応用される。
【００４０】
メニューまたはリストからの選択はボタン４また５を使用して行なう。例えば、ボタン４は電話のＳＥＮＤボタンに対応し（電話開始、電話応答）、かつボタン８５は電話のＥＮＤボタンに対応する（電話終了）。選択的に、ナビゲーションキー３によりメニューは検索されかつ電話番号は選択され、ナビゲーションキー３は少なくとも前方後方に揺動する（ＡＲＲＯＷ  ＵＰ（  ）およびＡＲＲＯＷ  ＤＯＷＮ（  ）に対応する）。このように、ナビゲーションキー３は上面２４および側面２３の方向へ揺動する。選択を可能かつ／または確認するために、ナビゲーションキー３はまた指により押し下げることができる（電話のＭＥＮＵキーに対応する）。テキストはナビゲーションキー３等により、最初に書き込みモードを選択し、次に文字を検索することにより書き込むことができる。文字は、ナビゲーションキー３のプッシュボタン機能（選択的にキーボタン４かつ／または５）により、テキストメッセージを終了または送信するときに、選択される。
【００４１】
図２の装置１の有利形態は、ハンドル部２から延びた電子カメラのビューファインダである光学レンズ装置１４を有する。ビューファインダ１４は側面２２の上縁部に装備され、かつ側面２１に実質的垂直方向において使用者から離れる方向に配向される。選択的に、そのビューは、好適にはそれ自体既知の液晶ディスプレイ（ＬＣＤ）であるディスプレイ１１上に表示される。ビューはカメラの画像センサから画像として得られ、光学画像を電子画像に変換する。画像センサは例えばそれ自体既知の電荷結合素子（ＣＣＤ）である。そのビューを基づいて、カメラはスチールまたはビデオ画像を作るために被写体に焦点を絞る。画像は装置１のメモリ手段にデジタルフォーマットで記憶され、かつＣＭＴおよびＰＤＡモードでワイヤレスで送信できる。日付および画像管理等のカメラの機能に関するメニューおよびシンボルはディスプレイ１１上に表示される。ナビゲーションキー３のボタンまたは制御ボタン４（または制御ボタン５）がレリーズボタンとして使用され、かつメニューは例えばナビゲーションキー３により制御される。
【００４２】
有利形態によれば、装置１はメモリ手段内のデジタルフォーマット内に記憶されている音楽を聞くために使用される。更に、音楽信号は上述の分離電話機装置に送られる。必要メモリ手段およびその機能を制御する手段は選択的に分離電話制御ユニット内に設置される。電気音楽信号は装置１によって通信ネットワークからその制御ユニットへ送られる。内壁６２，９２上に、装置１はステレオスピーカ用の複数セットの開口部１６，１７を有する。ステレオスピーカはハウジング６，９の内側にある。音楽機能は選択的にディスプレイ１１およびキーまたはボタン３，４または５により閉鎖位置において制御されてよい。装置１が複数の異なる機能モード、例えばＰＤＡ、ＣＭＴ、カメラおよびプレイヤモードを含む場合、デフォルトモードは電話を受信するＣＭＴモードである。ディスプレイ１１はこのように他のモードを選択するためのメニューを表示する。各モードにおいて、上記キー等の機能は選択モードによって決定される。本発明によれば、異なるモードにおいて、装置１は一方の手の把持を変えるまたは解除することなく、制御ボタン４，５およびナビゲーションキー３により制御することによって使用できる。
【００４３】
ボタン４および５は下へ押すときにクリックすると自動的に上に戻るドーム形フィルムキーである。好適には、同一フィルムがキー４（またはキー５）および側面２２（または側面２１）を被覆し、シームレス側面を形成している。指先の寸法を有する出っ張りとして設計されたこのボタンは側面の下凹部内に設置される。好適には、同様にナビゲーションキー３のプッシュボタン機能はクリックすると自動的に上に復帰する。このクリックは使用者にキー操作について明快感を与える。多用途メニュー機能およびディスプレイ上で移動するカーソル制御のために、ナビゲーションキー３は２方向から８方向の異なる方向（上下、好適には同様にその側面の左右方向へ）揺動する。各方向およびプレスに対応して、ナビゲーションキー３は装置１を制御するために連続または短い信号を発信する。ナビゲーションキー３は例えば丸く、ハンドル部２内に形成されたクレードル内に取り付けられる。選択的に、ナビゲーションキー３は少なくとも２つの方向へ回転できかつ押し下げを可能にするロール、ディスクまたはボールである。ロールの場合の回転軸は側面２１，２２に対して実質的垂直である。
【００４４】
使用を促進するために、装置１は図６に示されたように上面２４上に形成されたネスト内に取り付けられるボタン１５により自動的に開放する。１つの形態によれば、ボタン１５はバネ作動式ヒンジ機構をトリガーする機械的に作動する係止装置である。従って、その把持は解除される必要はなく、片手による操作が可能であり、かつ装置１は例えばビデオ電話のために、図４または図５の位置へ迅速に開放する。従って、そのカメラは同様に利用可能であり、かつタッチスクリーン８上に表示されるメニューは片手により検索できる。
【００４５】
装置１が開放するときに、ハウジング部６，９は第一に図６の位置においてハンドル部２から離れて上方へ移動し、その後に図３に示されたように開放する。
図６において、ハウジング部６，９の変換運動および中間位置は破線により示されている。図１および５から理解されるように、内壁６２に対応する内壁９２の幅は外壁９１の幅よりも大きく、これは外壁６２の幅に対応する。ハウジング部６，９はこの差だけハンドル部２へ移動し、閉鎖装置１の全幅はこの形態において約１０％だけ小さくなる。図３は外壁９１、その縁部９４、更にハンドル部２内の縁部２０より下に設置された側縁部９３を示す。縁部９４および２０は相互に対峙して形成され図１による狭いシームを形成する。外壁縁部９３のヒンジ装置は図３では見えない。ハウジング部６は対応する構造を有する。ハウジング部６，９は折り畳みを阻止するためにハンドル部２の内部に対しかつ相互に対して支持される。
【００４６】
１つの形態において、ハウジング部６，９は緊張下のバネの力作用により滑走しかつ展開する。この装置は片手でハウジング部６，９を握り、相互に対して折り畳み、かつハンドル部２の内側へ押すことにより閉鎖する。他方の手による把持は図２に示されたようになる。閉鎖位置において、ハンドル部２およびハウジング部６，９は折り曲げることのできない一体的係止構造を構成する。開放位置において、装置１は図４に例示された位置でそれ自体維持される。
【００４７】
図３および４の形態によれば、画像センサ用のカメラアーム１８はハンドル部２の上部２６の内面２９、即ち第一壁と反対側の壁面上に設けられる。水平カメラアーム１８はハウジング部６，９間に設置され、かつセンサレンズ装置のために１セットの開口部１９を有する。閉鎖位置において、このセンサはビューファインダ１４と同一方向に配向されている。カメラアーム１８は長軸を中心に少なくとも１８０°の範囲で下方かつ反対方向へ回転自在である。その回転軸は図４の開放位置においてハンドル部２の内面２９およびハウジング部６，９の内壁６２，９２に対して実質的垂直である。カメラアーム１８が図５に示されたように少なくとも９０°上方へ回転するときに、装置１がそのベース上に安定支持される場合にはカメラは広い領域に焦点を合わせる。この回転軸が側面２１，２２に対して垂直である。図５の位置のために、カメラアーム１８は弓状スライドレールにより曲折または設置され、カメラアーム１８はその端部にが固定される。選択的に、カメラアーム１８はハウジング部６内に右窓３２の近くで内壁６２と平行に設置される。上記セットの開口部はそのように内壁６２に対して実質的垂直の方向において使用者に対して配向され、閉鎖位置においてカメラはカメラアーム１８を移動させることなくビューファインダの方向に配向される。カメラアーム１８は同様に長軸を中心に回転してカメラを上下方向へ向ける。
【００４８】
カメラアーム１８は好適には電気かつ／または機械機構により自動的に図１および５の位置に設置される。好適には、この位置はナビゲーションキー３により制御できる。
【００４９】
画像センサにより得られる画像は好適にはディスプレイ８１かつ／または８２上に表示され、この画像に基づいてカメラの配向が検出される。ディスプレイ８上に表示される情報の配向が変換されるときに、装置１は図４および５の位置で使用できる。図５の位置において、装置１は低い傾斜角、約６０°から８０°後方へ傾斜する。
【００５０】
カメラアーム１８はハウジング部６および９間にあり、ハンドル部２の側の縁部に延在するハウジング部６，９の上縁部は同一形状の凹み３０および３１を有する。凹み３０および３１は凹部３４，３５を有する透明窓３２，３３を有し、各カメラアーム１８はそれに半分フイットする。これらの凹部は内壁６２，９２の側にあり、かつ均等空間を形成している。閉鎖位置の装置１において、カメラアーム１８は窓３２，３３間でシールド内に設置されて図１に示されたようにカメラ機能の態勢になる。
【００５１】
図７は有利形態による装置１のヒンジ機構を詳細に示す。図７はハウジング部６と分解ハンドル部２の半分のみとの取り付けを示す。ハンドル部２の残りの半分は対称的同一形態を有する。ヒンジ機構はハウジング部６，９およびハンドル部２からのヒンジ装置を射出するためのエジェクタ機構３７、ハウジング部６，９の開放を補助する展開機構３８、およびハウジング部６，９を共にハンドル部２に対して折り畳むためのヒンジ装置３９を有する。
【００５２】
エジェクタ機構３７はハンドル部２に適合する１またはそれ以上の係止クラッチ３７１および３７２を有する。これらの係止クラッチはハウジング部６，９を閉鎖位置に安定保持し、かつ連続的にハウジング部６，９をハンドル部２から遠ざけようとする１またはそれ以上のバネ手段、例えば圧力バネ３７３および３７４、に対する対抗力を形成する。キーボタン１５は上係止クラッチ３７１（ハンドル部２の上部にある）を押圧する構成であり、押圧はロッド伝達により下係止クラッチ３７２（ハンドル部２の下部にある）を回転させる。バネ３７６はこれらの係止クラッチを係止位置へ回転させる。
【００５３】
ヒンジ装置３９はハンドル部２の長手方向と平行のヒンジビームを有する。バネ３７３，３７４に押されて、ビーム３９１は使用者の掌から離れてハンドル部２の内側へ滑走する。反対方向において、ビーム３９１は手により滑走する。この運動はハンドル部２内の溝４０，４１内に設置される端部を有するピン３９２，３９３により制限される。前記溝は横切る方向の突起４２および４３を有し、これらの突起はガイドレールとして使用されかつその機構の他の部の溝内に設置される。ヒンジビーム３９４はハウジング部６の側壁６５に対して１側で固定され、かつビーム３９１に平行である。側面６５は平行側面６１よりも低く位置決めされている。ビーム３９４の他側はハウジング部６において図３の側壁９３に対応する面を形成する。この構造は好適には被覆されて均等側面を形成してヒンジ装置を覆う。
【００５４】
ビーム３９４に対応する構造はハウジング部６と一体的に製造できる。前記ヒンジ装置はビーム３９４に対応してハウジング部９のための平行ヒンジビームを含む。ビーム３９１，３９４は滑走路として使用される突起４２，４３のための溝３９５，３９６，３９７および３９８を有する。ビーム３９４はハウジング部９に対して曲折または移動せず、かつビーム３９１はハンドル部２に対して曲折しない。ビーム３９１，３９４はジョイント回転軸Ｃからの距離が定常的であるようにジョイント回転軸Ｃを中心に曲折する。
【００５５】
ヒンジ装置３９は少なくともビーム３９１の上部に固定された滑走部３３９ａおよびビーム３９１の下部に固定された滑走部３９９ｂを含み、その上下面は弓状滑走溝を有する。前記滑走部はハウジング部６，９へ延びる。ビーム３９４の上部に対して対応部３９９ｃが固定されハンドル部２へ向かって延び、かつ弓状首部を有し滑走部３９９ａの溝を滑走する。滑走部３９９ｂおよび対応部３９９ｄはビーム３９４の下部に固定され、対応する方法で対で機能する。前記滑走部および対応部の折返点Ｃ’は、装置１が折り畳まれるときに、図５に示された内壁６２，９２のレベルでシーム８３においてジョイント回転軸Ｃ上に設置できるように構成される。従って、ハウジング部６，９は相互に対して取り付けられ、かつ同時にディスプレイ８１，８２はできる限り密に相互に対して隣接設置される。回転軸Ｃはハンドル部２の長軸に平行である。開放運動は、面６５が滑走部３９９ａ，３９９ｂの端部に対して設置されるように制限される。ビーム９の上部に対してハンドル部２の方向へ延びかつ滑走部３９９ａの溝内を滑走する弓状首部を伴う対応部３９９ｅが固定される。前記支持ビームの上部に固定される対応部は対応する方法で作動する。前記ヒンジビームの下部に固定される滑走部３９９ｂおよび対応部３９９ｆは対応する方法で対で機能する。空間節約のために、対の対応部３９９ｃおよび３９９ｅ、同様に対の対応部３９９ｄおよび３９９ｆはその滑走部の反対側上に設置される。
【００５６】
展開機構３８は長軸ジョイントジャーナル３８１上に設置されかつハウジング部６，９へ向かって延びるアーム３８２および３８３を有する。ピン３８１およびアーム３８２，３８３はビーム３９１に対してハウジング部６，９へ向かって横切る方向へ移動できる。アーム３８３および３８２はハウジング部６のビーム３９４およびヒンジビームへヒンジピン３８５およびヒンジピン３８４によりそれぞれ固定される。ヒンジピン３８４，３８５の長手方向の平行回転軸は回転軸Ｃの対向側に設置され、かつハウジング部側の各回転軸にはヒンジピンが固定される。これらの回転軸は回転軸Ｃよりも僅かにハンドル部２に接近する。ピン３８１は、同様にアーム３８２，３８３間で連続的に作用しかつ前記アームを相互に対してピン３８１を中心に回転させて平行にする、緊張した捩じりバネを有する。このようにして、トルク力が同時に発生し、ヒンジピン３８４，３８５を回転軸Ｃを中心に相互方向へ回転させる。ヒンジピン３８４，３８５はそれぞれの回転軸の方向が維持されるように回転する。これは、順次、ハウジング部６，９上にトルク作用を生成し、射出するときにハウジング部６，９を開放させ、ハウジング部６，９が押し込まれるときに溝３９５，３９６はハンドル部２の突起４２，４３に支持される。回転時に、一方の手の上のヒンジピンの回転軸と軸Ｃ間の距離および他方の手の上のヒンジピンの回転軸とピン３８１との間の距離は一定となり、結果としてビームおよびハンドル部２に対するピン３８１の位置は変化する。従って、前記ピンおよびアームはビーム３９１の中間部で入れ子状態で運動可能に取り付けられる。更に、ピン３８１の両端部は取付け部３８６および３８７を有する。
【００５７】
回路盤等のＰＤＡ／ＣＭＴ装置の電気構成要素、電子回路を有する回路盤上に取り付けられるトランシーバ、およびアンテナ、更にディスプレイおよび全装置を制御するための制御回路はハウジング部６，９間の残された空間に設置される。前記キーおよび制御ボタンは前記制御回路と電気接触する。全装置の作用はメモリ手段内に記憶された制御プログラム下で作用する制御システムにより制御されかつ前記方法で前記装置を制御するように構成される。その設計、製造および必要構成要素の設置、およびその機能の調整はその時の必要に応じて当業者により選択できる。その選択において、それ自体既知の技術および方法を適用できる。その条件は、例えば、カメラまたは音楽機能等の装置の異なる性質、必要なメモリ手段の容量、他の装置への接続部材、およびセルラーネットワークかつ／または短距離ＲＦまたはＩＲネットワークに基づくＧＳＭ移動通信ネットワーク等のワイヤレス通信に使用される１つまたはそれ以上のネットワークに依存する。アンテナを有する装置は、例えば、ビデオ電話の移動を可能にするために、所望とされる、好適にはブロードバンド通信ネットワークで操作できるように構成される。
【００５８】
本発明を特に好適に適合する有利通信装置との関係で説明したが、本発明は特許請求の範囲で他の電子装置に利用できることは当業者に自明であろう。本発明の装置は当然ながら他の把手を有し、かつ他の位置に使用できる。呈示された把手および使用位置は本発明の装置を保持する好適方法の例示であり、ハンドル部のキーは少なくともこの把手および幾つかの異なる機能を有する使途が可能かつ容易であるように設置される。
【図面の簡単な説明】
【図１】本発明による好適形態による電子装置、特に閉鎖位置のＰＤＡ／ＣＭＴを左側面から見た図を示す。
【図２】閉鎖位置の図１の装置を右側面から見た図を示す。
【図３】半開放位置の図１の装置を背面左側から見た下方へ傾斜した斜視図を示す。
【図４】開放位置の図１の装置を左側から見た下方に傾斜した斜視図を示す。
【図５】開放水平位置の図１の装置を前から見た図を示す。
【図６】閉鎖位置の図１の装置を上から見た図を示す。
【図７】図１の装置の分解部分図を示す。
【符号の説明】
１…装置
２…ハンドル形ハウジング部またはハンドル部（第三ハウジング部）
３…ナビゲーションキー
４…キーボタンまたは制御キー
５…制御ボタンまたはキーボタン
６…第一ハウジング部
８…ディスプレイ
９…第二ハウジング部
１５…キーボタン
２１，２２…側面（隣接壁）
２３…側面（第一壁）
２４…上面（上壁）
２９…側面（第二壁）
３６…ヒンジ機構
３７…エジエクタ機構
３８…展開機構
３９…ヒンジ装置
６２，９２…内壁
８１，８２…ディスプレイ
【図１】
0004663925.tif 000002
【図２】
0004663925.tif 000003
【図３】
0004663925.tif 000004
【図４】
0004663925.tif 000005
【図５】
0004663925.tif 000006
【図６】
0004663925.tif 000007
【図７】
0004663925.tif 000008